(57)【要約】【課題】サンドブラストを実際に行うことなくサンドブラストによるガラス工芸に似た装飾感が得られ、しかも大きなサイズのものでも容易に製作可能なガラス装飾品の製作方法を提供すること。【解決手段】透明な合成樹脂材料からなって立体装飾が形成された立体装飾原型を準備するステップ＃１１、１２と、立体装飾原型を撮影して立体装飾の写真画像を取得するステップ＃１３と、写真画像を透明なシートに印刷して立体視目的の写真画像シートを作製するステップ＃１４と、写真画像シートをガラスの表面に張りつけてガラスに立体視目的の装飾を付与したガラス装飾品ＧＳ１を作製するステップ＃１５とを有する。【選択図】      図９
2015003465.tif 000002
【特許請求の範囲】
【請求項１】
透明な合成樹脂材料からなって立体装飾が形成された立体装飾原型を準備する第１のステップと、
前記立体装飾原型を撮影して前記立体装飾の立体視目的の写真画像を取得する第２のステップと、
前記写真画像を透明なシートに印刷して立体視目的の写真画像シートを作製する第３のステップと、
前記写真画像シートをガラスの表面に張りつけて前記ガラスに立体視目的の装飾を付与する第４のステップと、
を有することを特徴とするガラス装飾品の製作方法。
【請求項２】
透明な合成樹脂材料からなって立体装飾が形成された立体装飾原型を準備する第１のステップと、
前記立体装飾原型を撮影して前記立体装飾の写真画像を取得する第２のステップと、
前記写真画像を透明なシートに印刷して写真画像シートを作製する第３のステップと、  前記写真画像シートをガラスの表面に張りつける第４のステップと、
を有することを特徴とするガラス装飾品の製作方法。
【請求項３】
前記第１のステップは、
対象物を撮影して対象物の原画像を取得する第１Ａのステップと、
前記対象物の原画像に基づいて前記合成樹脂材料からなる素材に彫刻を施すことによって当該対象物の原画像に対応する前記立体装飾が形成された前記立体装飾原型を作製する第１Ｂのステップと、
を有する請求項２記載のガラス装飾品の製作方法。
【請求項４】
前記第２のステップにおいて、
前記立体装飾原型の側面から照明を行った状態で、前記立体装飾原型の正面から撮影を行う、
請求項２または３記載のガラス装飾品の製作方法。
【請求項５】
前記立体装飾原型の照明を行うに当たり、色付きの照明を行う、
請求項４記載のガラス装飾品の製作方法。
【請求項６】
前記第３のステップにおいて、
前記写真画像を透明なシートに印刷するに当たり、透明インクを用いて印刷する、
請求項２ないし５のいずれかに記載のガラス装飾品の製作方法。
【請求項７】
前記シートとして、飛散防止フィルムを用いる、
請求項２ないし６のいずれかに記載のガラス装飾品の製作方法。
【請求項８】
前記シートとして、熱遮断フィルムを用いる、
請求項２ないし６のいずれかに記載のガラス装飾品の製作方法。
【請求項９】
請求項１ないし８のいずれかに記載の方法により製作されたガラス装飾品。
【発明の詳細な説明】
【技術分野】
【０００１】
本発明は、ガラス装飾品およびその製作方法に関し、例えばサンドブラストなどによるガラス工芸に似た装飾感が得られるガラス装飾品およびその製作方法に関する。
【背景技術】
【０００２】
従来より、サンドブラスト、ガラスエッチングなどによってガラスの表面に文字や絵柄が形成されたガラス工芸品が存在する。
【０００３】
つまり、絵柄をデザインしたシートをガラスの表面に張りつけてマスクとし、サンドブラスターで金剛砂などをガラスに吹き付けて彫刻を行う。このとき、吹き付ける圧力や時間を調整し、彫る深さを変化させてガラス工芸品の立体感を表現する。
【０００４】
また、特許文献１の方法によると、ガラス成型品の表面にマスキングシートを接着被覆し、低出力レーザ光でマスキングシートの装飾文様原図に沿って文様を焼失加工した後、サンドブラスト処理を行って装飾文様をガラス成型品の表面に刻設する。
【０００５】
また、特許文献２の方法によると、外被せと宙吹きによって複数のガラス層からなる成形品を作製した後、最外層のガラスの表面にサンドブラストによって模様を形成する。
【先行技術文献】
【特許文献】
【０００６】
【特許文献１】特開２０００−２８０６９５号公報
【特許文献２】特開２０１０−２４１６３４号公報
【発明の概要】
【発明が解決しようとする課題】
【０００７】
しかし、ガラスが硬度が高く加工が容易ではないことから、サンドブラストによるガラスの彫刻は容易ではなく多大の時間を要する。また、ブラスタガンおよびコンプレッサーなどの特別な設備を要するので、大がかりとなる。
【０００８】
また、サンドブラストによる加工は、研磨材を圧縮空気によってガラスの表面に吹き付けるものであるので、これによって砂塵が発生する。そのため、作業者の健康に影響がでないようにするため、ガラス工芸品の製作に当たっては、サンドブラストを作業者の手だけが挿入できるようにした密閉式の集塵ボックスを用いる必要がある。したがって、作業が容易ではなく、また、ガラスのサイズに制限があり、大きなサイズのものは製作できなかった。
【０００９】
また、大きなサイズのガラス工芸品を製作する際は、集塵ボックスを用いることなく、作業者が防護マスクを着用して直接にサンドブラスト作業を行う必要があった。この場合は、作業者の健康への影響が懸念され、作業自体も容易ではなかった。
【００１０】
本発明は、上述の問題に鑑みてなされたもので、サンドブラストを実際に行うことなくサンドブラストによるガラス工芸に似た装飾感が得られ、しかも大きなサイズのものでも容易に製作可能なガラス装飾品の製作方法を提供することを目的とする。
【課題を解決するための手段】
【００１１】
本発明に係る製作方法は、透明な合成樹脂材料からなって立体装飾が形成された立体装飾原型を準備する第１のステップと、前記立体装飾原型を撮影して前記立体装飾の写真画像を取得する第２のステップと、前記写真画像を透明なシートに印刷して写真画像シートを作製する第３のステップと、前記写真画像シートをガラスの表面に張りつける第４のステップと、を有する。
【発明の効果】
【００１２】
本発明によると、サンドブラストを実際に行うことなくサンドブラストによるガラス工芸に似た装飾感が得られ、しかも大きなサイズのものでも容易に製作可能である。
【図面の簡単な説明】
【００１３】
【図１】装飾画像となる対象物の原画像の例を示す図である。
【図２】透明な合成樹脂材料からなる素材の斜視図である。
【図３】対象物の原画像に対応する立体装飾が形成された立体装飾原型の例を示す正面図である。
【図４】図３に示す立体装飾原型の斜視図である。
【図５】立体装飾原型を撮影して得た立体装飾の写真画像の例を示す図である。
【図６】立体装飾の写真画像を透明なシートに印刷した写真画像シートの例を示す図である。
【図７】写真画像シートをガラスの表面に張りつけて完成したガラス装飾品の正面図である。
【図８】ガラス装飾品の側面断面図である。
【図９】ガラス装飾品の製作過程を示すフローチャートである。
【発明を実施するための形態】
【００１４】
図１には装飾画像となる対象物ＴＢ１の原画像ＧＧ１の例が示されている。
【００１５】
図１に示す例では、原画像ＧＧ１は大樹の画像である。これは対象物ＴＢ１である実際の大樹をカメラで写真撮影して得たものである。しかし、対象物ＴＢ１は大樹に限ることなく、任意の植物または動物などの自然物、自然風景、人工物、人工風景、人物、またはイラストや絵画などであってもよい。また、写真撮影による原画像ＧＧ１に代えて、コンピュータグラフィックスまたはアニメーションなどで作製した原画像ＧＧを用いてもよい。
【００１６】
図２には透明な合成樹脂材料からなる素材ＳＺ１の例が示されている。
【００１７】
図２において、素材ＳＺ１は、アクリル樹脂によって直方体状の板状に形成されている。素材ＳＺ１の材料は、アクリル樹脂以外であっても、透明で彫刻が容易なものであればよい。素材ＳＺ１の形状は、直方体状の他、多角形状または円板状のもの、または湾曲した形状のものであってもよい。
【００１８】
図３には対象物ＴＢ１の原画像ＧＧ１に対応する立体装飾ＲＳ１が形成された立体装飾原型ＲＧ１の例が、図４には立体装飾原型ＲＧ１の斜視図が、それぞれ示されている。
【００１９】
図３および図４において、立体装飾原型ＲＧ１は、原画像ＧＧ１に基づいて、素材ＳＺ１に彫刻を施したものである。立体装飾ＲＳ１は、例えば、原画像ＧＧ１の内容に対応して、かつ原画像ＧＧ１の奥行き感（立体感）に対応して、素材ＳＺ１に切削加工またはレーザ加工などを施すことによって形成することができる。手掘りによっても形成可能である。
【００２０】
図３および図４に示す例では、立体装飾ＲＳ１は、素材ＳＺ１の枠状の周辺部ＳＨを除く裏側の面に形成されている。表側の面および４つの側面（左右の側面および上下の側面）は、加工が施されていないので、透明な平面のままである。
【００２１】
なお、周辺部ＳＨを除くことなく全面に形成してもよい。また、裏側の面ではなく表側の面に形成してもよい。また、素材ＳＺ１の片面を彫って凹凸を形成するのではなく、素材ＳＺ１の全体を原画像ＧＧ１の内容に対応した形状となるように加工し、立体装飾原型ＲＧ１それ自体が立体装飾ＲＳ１となるようにしてもよい。
【００２２】
なお、彫刻を施すに当たって、必ずしも「彫る」必要はなく、熱または溶剤などにより溶かしたり、透明素材を付加するなど、種々の方法で立体的な装飾を形成すれはよい。
【００２３】
立体装飾ＲＳ１の形成方法の例として、例えば特開２００８−２８４８２１号公報に開示された方法を用いることが可能である。
【００２４】
図５には、図３および図４に示す立体装飾原型ＲＧ１を撮影して得た立体装飾ＲＳ１の写真画像ＳＧ１の例が示されている。
【００２５】
図５において、写真画像ＳＧ１は、立体装飾原型ＲＧ１の表側の面に対向する位置から立体装飾ＲＳ１を撮影したものである。写真画像ＳＧ１は、通常の２次元画像ではあるが、立体視を目的とした写真画像である。撮影の際に、立体装飾原型ＲＧ１に対して適当な照明を行えばよい。例えば、立体装飾原型ＲＧ１の側面から照明を行って照明光をあてることにより、立体装飾ＲＳ１の立体感を強調することができる。この場合に、裏面側からの照明光があってもよいが、側面からの照明光を強くすることにより、立体感を強調することができる。側面のみからの照明光を用いることにより、立体感を一層強調することができる。また、両側からのみ、例えば左右方向からの照明光を用いたり、一方の側面のみから、例えば左側または右側からの照明光のみを用いたりすることにより、立体感をさらに強調することも可能である。
【００２６】
また、立体装飾ＲＳ１の照明を行うに当たり、色付きの照明を行ってもよい。例えば、赤、緑、青、その他の色の照明器具を用い、色によって装飾を施すことができる。
【００２７】
図６には、立体装飾ＲＳ１の写真画像ＳＧ１を透明なシートＳＴ１に印刷した写真画像シートＳＳ１の例が示されている。
【００２８】
図６において、シートＳＴ１は、透明な樹脂フィルムであり、その片側の表面に、例えばインクジェットプリンタによって写真画像ＳＧ１が印刷される。このとき、インクとして、透明インクを用いることができる。透明インクを用いることにより、透明感が得られ、後でガラスに張りつけたときの装飾感として、実際のサンドブラストによるガラス工芸により近い立体的な装飾感が得られる。
【００２９】
また、インクとして、カラーインクを用い、写真画像ＳＧ１に応じた着色を行うことができる。また、インクとして白インクを用いることも可能である。また、白インクおよび色インクを用いることも可能である。例えば、白インクおよび黒インク（墨）を用いて、写真画像ＳＧ１の濃淡のみによる立体感を表現することもできる。
【００３０】
また、シートＳＴ１として、飛散防止フィルムを用いてもよい。飛散防止フィルムを用いることにより、後でガラスに張りつけたときに、ガラスの飛散防止を図ることができる。また、ガラスにシートＳＴ１を張りつけることにより、紫外線透過防止効果が得られる可能性がある。
【００３１】
また、シートＳＴ１として、熱遮断フィルムを用いてもよい。熱遮断フィルムを用いることにより、断熱効果を得ることができる。また、紫外線透過防止効果および飛散防止効果なども得られる可能性がある。
【００３２】
図７には写真画像シートＳＳ１をガラスＧＲ１の表面に張りつけて完成したガラス装飾品ＧＳ１が、図８にはガラス装飾品ＧＳ１の側面断面図が、それぞれ示されている。
【００３３】
図７および図８において、ガラスＧＲ１は、透明な板ガラスである。ガラスＧＲ１の材質は種々のものを選択することができる。ガラスＧＲ１は、単なる装飾用のガラスであってもよく、窓用、ドア用、部屋の仕切り用、または構造物の壁面用のガラスであってもよい。
【００３４】
ガラスＧＲ１のサイズは、素材ＳＺ１または立体装飾原型ＲＧ１と同じサイズであってもよく、異なったサイズであってもよい。つまり、ガラスＧＲ１のサイズを、素材ＳＺ１または立体装飾原型ＲＧ１のサイズとは関係のない大きなサイズまたは小さなサイズとすることができる。ガラスＧＲ１のサイズに応じて、写真画像ＳＧ１を拡大しまたは縮小して、適当なサイズの写真画像シートＳＳ１を作製すればよい。
【００３５】
また、ガラスＧＲ１の形状は、矩形、多角形、円形、楕円形、その他の形状であってもよい。また、通常は平面状のものが用いられるが、湾曲したもの、複数の面を持つもの、構造体を構成するものであってもよい。
【００３６】
ガラスＧＲ１の表面に、写真画像シートＳＳ１が透明な接着剤または粘着剤などにより張られている。シートＳＴ１として、一方の面に予め粘着剤が塗布された粘着シートを用いた場合には、それをそのままガラスＧＲ１に張りつけることができる。
【００３７】
写真画像シートＳＳ１は、ガラスＧＲ１の表側の面、または裏側の面のいずれに張りつけてもよい。裏側の面に張りつける際には、写真画像シートＳＳ１の作製の際に、写真画像ＳＧ１を表裏反転して印刷しておけばよい。
【００３８】
図７および図８に示すガラス装飾品ＧＳ１では、写真画像シートＳＳ１のサイズがガラスＧＲ１のサイズよりも少し小さい。しかし、写真画像シートＳＳ１のサイズをガラスＧＲ１のサイズと同じとし、ガラスＧＲ１の全面に写真画像シートＳＳ１を張りつけるようにしてもよい。また、写真画像シートＳＳ１のサイズを小さくし、ガラスＧＲ１の一部にのみ写真画像シートＳＳ１を張りつけるようにしてもよい。１枚のガラスＧＲ１に複数の写真画像シートＳＳ１を張りつけてもよい。
【００３９】
ガラス装飾品ＧＳ１は、サンドブラストを実際に行っていないにも係わらず、サンドブラストによるガラス工芸に似た装飾感が得られる。つまり、写真画像シートＳＳ１を張りつけることにより、ガラスＧＲ１に立体視目的の装飾ないしは立体感のある装飾が付与される。しかも、ガラス装飾品ＧＳ１の製作に当たって、そのサイズに制限がなく、大きなサイズのものでも容易に製作可能であり、安価である。
【００４０】
なお、ガラス装飾品ＧＳ１を鑑賞する際に、適当な照明装置を用いて照明を行えば効果的である。また、ガラス装飾品ＧＳ１の背景として黒いカーテンなどを用いて暗くすることにより、一層効果を得ることができる。
【００４１】
作製されたガラス装飾品ＧＳ１は、適当な台座によって室内に設置し、または壁面に取り付けるなど、装飾の目的で用いることができる。また、窓、ドア、部屋の仕切りなどに嵌め込んで、装飾兼実用品として用いることもできる。
【００４２】
図９にはガラス装飾品ＧＳ１の製作過程が示されている。
【００４３】
図９において、適当な対象物ＴＢ１を撮影して対象物ＴＢ１の原画像ＧＧ１を取得する（＃１１）。対象物ＴＢ１の原画像ＧＧ１に基づいて合成樹脂材料からなる素材ＳＺ１に彫刻を施すことによって対象物ＴＢ１の原画像ＧＧ１に対応する立体装飾ＲＳ１が形成された立体装飾原型ＲＧ１を作製する（＃１２）。これによって立体装飾原型ＲＧ１が準備される。
【００４４】
次に、立体装飾原型ＲＧ１を撮影して立体装飾ＲＳ１の写真画像ＳＧ１を取得する（＃１３）。このとき、立体装飾原型ＲＧ１の側面から照明を行った状態で、立体装飾原型ＲＧ１の正面から撮影を行ってもよい。立体装飾原型ＲＧ１の照明を行うに当たり、色付きの照明を行ってもよい。
【００４５】
写真画像ＳＧ１を透明なシートＳＴ１に印刷して写真画像シートＳＳ１を作製する（＃１４）。このとき、写真画像ＳＧ１を透明なシートＳＴ１に印刷するに当たり、透明インクを用いて印刷してもよい。シートＳＴ１として飛散防止フィルムを用いてもよい。
【００４６】
写真画像シートＳＳ１をガラスＧＲ１の表面に張りつけてガラス装飾品ＧＳ１を製作する（＃１５）。
【００４７】
ところで、ガラスにサンドブラストで彫刻された表現は、以前から高級宝飾店またはホテルのロビーなどに高級感を与えるために使用されている。しかし、サンドブラストで彫刻されたガラスは、彫刻されているために本来のガラスの強度が得られず、強度の低下を考えて通常の使用よりも厚いガラスを使用しなければならない。また、ウインドウガラスとして用いられるガラスは、サンドブラストなどによる傷が付いていない条件でガラスの厚みが決定されている。これらの点や他の種々の条件およびコストの点から、表現豊かなガラス彫刻を施すことは難しかった。
【００４８】
しかし、本実施形態のガラス装飾品ＧＳ１によると、ガラスの強度を損なうことなく、却ってガラスの強度を向上させることもできて、サンドブラストによるガラス工芸と同様な装飾感を得ることができるので、ガラスの厚さを厚くする必要がなく、ウインドウガラスその他の種々の用途のガラスに適用することができる。
【００４９】
また、既存のウインドウガラス、その他の既存のガラスに対しても、写真画像シートＳＳ１をそのガラスの表面に張りつけることによりガラス装飾品とすることができ、既存のガラスを容易にガラス装飾品ＧＳ１とすることができる。
【００５０】
上に述べた実施形態において、素材ＳＺ１、シートＳＴ１、写真画像シートＳＳ１、立体装飾原型ＲＧ１、またはガラスＧＲ１の材質、形状、大きさなどは、上に述べた以外の種々のものを用いることができる。また、対象物ＴＢ１、原画像ＧＧ１、写真画像ＳＧ１、および立体装飾ＲＳ１などの内容、サイズは、上に述べた以外の種々のものとすることができる。
【符号の説明】
【００５１】
ＧＳ１  ガラス装飾品
ＴＢ１  対象物
ＳＺ１  素材
ＧＧ１  原画像
ＳＧ１  写真画像
ＳＳ１  写真画像シート
ＧＲ１  ガラス
ＲＳ１  立体装飾
ＲＧ１  立体装飾原型
【図１】
2015003465.tif 000003
【図２】
2015003465.tif 000004
【図３】
2015003465.tif 000005
【図４】
2015003465.tif 000006
【図５】
2015003465.tif 000007
【図６】
2015003465.tif 000008
【図７】
2015003465.tif 000009
【図８】
2015003465.tif 000010
【図９】
2015003465.tif 000011